(57)【要約】【課題】  表示装置の拡張化の要請に応えつつ、メンテナンス性を向上させることができ、無駄を省くことができる表示素子、表示装置及び電子機器を提供すること。【解決手段】  有機ＥＬ装置７に移動機構８が取り付けられているので、有機ＥＬ装置７を移動させることができる。これにより、表示素子６自体を移動させることができるため、表示装置３５に表示される画像を変形させることができる。一方、本実施形態に係る表示装置３５では、発光させる表示素子６を変えるという従来のやり方でも画像を変形させることができるため、表示する画像を変形する際には、表示素子６自体を移動させるか、表示させる表示素子６を変えるかという２パターンのうち、好ましい方を状況応じて適宜選択することができる。このように、従来の表示装置を拡張した、表現力豊かに画像を表示する表示装置を得ることができる。【選択図】  図４
2006178136.tif 000002
【特許請求の範囲】
【請求項１】
光を射出する光源体と、
前記光源体に設けられ、前記光源体を移動させることが可能な移動機構と、
前記光源体が所定の位置へ移動するように、前記移動機構を制御する制御部と
を具備する表示素子が複数設けられていることを特徴とする表示装置。
【請求項２】
前記表示素子外部から送信された、前記光源体が移動する位置に関する情報を受信する受信手段を更に具備し、
前記制御部が、前記受信手段により受信された前記情報に基づいて前記移動機構を制御することを特徴とする請求項１に記載の表示装置。
【請求項３】
前記情報を送信する送信手段を更に具備することを特徴とする請求項２に記載の表示装置。
【請求項４】
前記移動機構が、前記光源体を平面的に移動させることが可能であることを特徴とする請求項１乃至請求項３のうちいずれか一項に記載の表示装置。
【請求項５】
前記移動機構が、前記光源体を空間的に移動させることが可能であることを特徴とする請求項１乃至請求項４のうちいずれか一項に記載の表示装置。
【請求項６】
前記光源体が、発光層を含む有機機能層を備えた有機ＥＬ素子であることを特徴とする請求項１乃至請求項５のうちいずれか一項に記載の表示装置。
【請求項７】
光を射出する光源体と、
前記各光源体に取り付けられ、前記光源体を移動させることが可能な移動機構と、
前記光源体が所定の位置へ移動するように、前記移動機構を制御する制御部と
を具備することを特徴とする表示素子。
【請求項８】
請求項１乃至請求項６のうちいずれか一項に記載の表示装置または請求項７に記載の表示素子が搭載されたことを特徴とする電子機器。
【発明の詳細な説明】
【技術分野】
【０００１】
本発明は、表示装置、表示素子及び電子機器に関する。
【背景技術】
【０００２】
フラットパネル型の表示装置は、電子計算機やディジタルカメラ、カーナビゲーション等の表示部に広く用いられている。例えば有機ＥＬ装置が用いられた表示装置では、Ｒ（赤）、Ｇ（緑）及びＢ（青）の３色の画素が所定の位置に固定的に配列されており、各画素による色の組み合わせによりフルカラー表示が可能となっている（例えば、特許文献１参照。）。例えば画像を拡大・縮小する場合や動画を表示する場合には、発光する画素を変化させることで、その画像の動きを表示している。一方、近年では、このような表示装置自体の機能についての拡張化が望まれている。  
【特許文献１】特開２００４−１４３６６号公報
【発明の開示】
【発明が解決しようとする課題】
【０００３】
特許文献１の記載によれば、有機ＥＬ装置の各画素は固定位置に形成されており、当該画素を移動させることはできない。表示装置に設けられる赤、緑及び青の３色の画素はそれぞれ寿命が異なっており、例えば一の画素の寿命が尽きた場合、当該画素のみを修理・交換等することができず、メンテナンス性に乏しい。加えて、この場合には、他の画素の寿命が尽きてないにもかかわらず表示装置ごと取り替える必要があるため、無駄が多くなってしまう。  
一方、表示装置の画素が固定されてしまっているため、表示装置自体の拡張化の要請に応えることができない。画素の固定は製造時においても赤、緑及び青の３色それぞれの最適プロセスが異なる場合、例えば、共通陰極など３色の一括処理工程に対し、少なからず調整が必要で各色にとって最適条件に成り難い問題を抱えることになる。
【０００４】
以上のような事情に鑑み、本発明の目的は、表示装置の拡張化の要請に応えつつ、メンテナンス性を向上させることができ、無駄を省くことができる表示素子、表示装置及び電子機器を提供することにある。
【課題を解決するための手段】
【０００５】
上記目的を達成するため、本発明に係る表示素子は、光を射出する光源体と、前記光源体に設けられ、前記光源体を移動させることが可能な移動機構と、前記光源体が所定の位置へ移動するように、前記移動機構を制御する制御部とを具備する表示素子が複数設けられていることを特徴とする。
【０００６】
本発明では、光源体に移動機構が取り付けられているので、当該移動機構により光源体を移動させることができる。これにより、表示素子自体を移動させれば表示装置に表示される画像を変形（例えば、拡大・縮小等）させることができる。一方、本発明の表示装置では、発光させる表示素子を変えるという従来のやり方でも画像を変形させることができる。したがって、本発明の表示装置において表示する画像を変形する際には、表示素子自体を移動させても良いし、表示させる表示素子を変えても良いし、状況に応じてこれらを適宜組み合わせても良い。このように、従来の表示装置を拡張した、表現力豊かに画像を表示する表示装置を得ることができる。また、表示素子を独立して移動させることが可能であることから、寿命が尽きた表示素子のみを移動して取り替えることも可能となる。これにより、メンテナンス性を向上させることができ、さらに無駄を省くこともできる。  
また、製造時においては赤、緑及び青の３色それぞれの最適プロセスを用いられ、３色の一括処理工程に対する調整が一切不要となり、表示体の性能向上を図ることができる。
【０００７】
また、素子外部から送信された、前記光源体が移動する位置に関する情報を受信する受信手段を更に具備し、前記制御部が、前記受信手段により受信された前記情報に基づいて前記移動機構を制御することが好ましい。  
これにより、光源体が移動する位置に関する情報（以下、「位置情報」という。）を複数の表示素子に送信するだけで、光源体を所定の位置へ自動的に移動させることができる。なお、「素子外部から送信された」位置情報には、例えば表示装置を使用するユーザから電子計算機等を通じて送信された位置情報や、送信手段を有する別の表示素子から送信された位置情報が含まれる。
【０００８】
この位置情報には、例えば光源体の現在の位置を示す情報や、光源体の移動先の位置を示す情報が含まれる。前者の場合、すなわち位置情報が現在の位置を示す情報である場合、例えば制御部は受信された位置情報に基づき、光源体の移動する移動先の位置を割り出し、割り出した位置に光源体が移動するように移動手段を制御することができる。また、後者の場合、すなわち位置情報が光源体の移動先の位置を示す情報である場合、例えば制御部は受信された位置情報の示す位置に光源体が移動するように、移動手段を制御することができる。
【０００９】
また、前記情報を送信する送信手段を更に具備することが好ましい。  
表示素子が送信手段を具備することにより、表示素子同士の間で位置情報のやり取りが可能となるので、表示装置を使用する制御部が直接すべての表示素子に位置情報を送信する必要は無い。例えば、制御部はある基準の位置に配置させる表示素子のみに位置情報を送信するだけで良く、あとはその表示素子から別の表示素子に次々に位置情報が送信されて、自動的に光源体を移動させるように構成することができる。
【００１０】
また、前記移動機構が、前記光源体を平面的に移動させることが可能であることが好ましい。  
光源体が平面的に移動可能であるため、例えば画像の拡大・縮小、動画等の２次元的な動きを表現力豊かに表すことができる。平面的な移動を可能にする手段として、例えば光源体に車輪を取り付け、当該車輪が回転することで光源体を平面的に移動させることができる。
【００１１】
また、前記移動機構が、前記光源体を空間的に移動させることが可能であることが好ましい。  
光源体が空間的に移動可能であるため、例えば立体画像の拡大・縮小や立体画像の動き等の３次元的な動きを表現力豊かに表すことができる。空間的な移動については、例えば表示素子を水等の液体中に設けて、この表示素子に液体中を推進する部材を取り付けるようにすれば、表示素子は液体中を空間的に移動することができる。
【００１２】
また、前記光源体が、発光層を含む有機機能層を備えた有機ＥＬ素子であることが好ましい。  
有機ＥＬ素子であれば、独立した画素ごとに表示素子を構成することができる。また、薄膜状に形成することができるので、例えば液体中であっても嵩張ることは無い。
【００１３】
本発明の別の観点に係る表示素子は、光を射出する光源体と、前記各光源体に取り付けられ、前記光源体を移動させることが可能な移動機構と、前記光源体が所定の位置へ移動するように、前記移動機構を制御する制御部とを具備することを特徴とする。
【００１４】
表示装置に固定して設けられる画素は、隣接する画素との間に一定の遮光部が必要になるため、発生した光のすべてを利用できるわけではない。これに対して、本発明に係る表示素子は、遮光部が無いため、光の利用効率を向上させることができる。
【００１５】
本発明の別の観点に係る電子機器は、上記の表示装置または上記の表示素子が搭載されたことを特徴とする。  
これにより、画像・動画等を表現力豊かに表示することができ、ユーザに多彩な印象を与えることが可能な電子機器を得ることが可能となる。
【発明を実施するための最良の形態】
【００１６】
以下、本発明の実施の形態を図面に基づき説明する。  
（第１実施形態）
図１は、本実施形態に係る電子計算機１の構成を概略的に示す斜視図である。  
電子計算機１は、筐体２と、表示部３と、操作部４とを主として構成されている。筐体２は、表示部３及び操作部４の外枠として、これらを保持している。表示部３は、例えば画像Ｐ等の静止画や動画等を表示するものである。表示部３として、例えば表面がガラスや石英等の透明基板で覆われ、内部に表示素子６をマトリクス状に配列させた表示装置３５が用いられている。表示素子６には、赤色の色光を発光する表示素子、緑色の色光を発光する表示素子及び青色の色光を発光する表示素子の３種類がある。操作部４は、例えばキーボードやボタン等が設けられており、当該キーボードやボタン等を押下することで電子計算機１に命令を与えるものである。
【００１７】
図２及び図３は、本実施形態に係る表示装置３５の構成を示す平面図である。なお、この図２及び図３では、各構成要素についての説明を容易にするため、表示部３の大きさに対する表示素子６の大きさを、実際の大きさよりも大きくなるように示している。  
図２に示すように、表示装置３５には、表示素子６がＸ方向及びＹ方向にマトリクス状に配列されている。例えば、赤色の色光を発光する表示素子６Ｒ、緑色の色光を発光する表示素子６Ｇ及び青色の色光を発光する表示素子６Ｂを隣接させて配置し、一つのパターン３７として、当該パターン３７を配列させるようにする。表示装置３５の表示面のうち、表示素子６が配列されている領域に、画像や動画が表示される（以下、この領域を「表示可能領域Ｄ」という。）。
【００１８】
図２では、各表示素子６Ｒ、６Ｇ、６Ｂ間、各パターン３７間にスペースがほとんど無く、最外周に位置する表示素子６と表示部３の枠３ａとの間にスペースが生じている状態で配列されている。この状態は、表示可能領域Ｄが最も小さい状態である。各表示素子６Ｒ、６Ｇ、６Ｂがそれぞれ赤色、緑色及び青色の色光を発光し、表示可能領域Ｄには画像Ｐが表示されている。
【００１９】
図３は、最外周に位置する表示素子６が表示部３の枠３ａいっぱいに広がって配列されている様子を示している。最外周に位置する表示素子６と表示部３の枠３ａとの間にはスペースがほとんど無く、各表示素子６の間にはスペースが生じている状態である。この状態は表示可能領域Ｄが最も大きい状態であり、画像Ｐが表示部３の枠３ａいっぱいに表示されている。
【００２０】
図４は表示素子６の斜視図であり、図５は当該表示素子６の側面図であり、図６は当該表示素子６の底面図である。  
図４に示すように、表示素子６は、有機ＥＬ装置７と、移動機構８と、制御部９と、光通信部１０を有しており、独立した一表示素子として構成されている。また、表示素子６は、図示しない電源部を有しており、この電源部から有機ＥＬ装置７、移動機構８及び制御部９にそれぞれ電力が供給されるようになっている。
【００２１】
有機ＥＬ装置７は、図５に示すように、基板１１と、当該基板１１上に設けられた有機ＥＬ素子（発光体）１２とを有する。この有機ＥＬ装置７は、例えば一の装置により一の画素を構成するものであり、例えば基板と反対側へ光を射出するトップエミッション型のものである。
【００２２】
基板１１は、例えば、ガラス、石英、樹脂（プラスチック、プラスチックフィルム）等からなる透明基板である。この有機ＥＬ装置７はトップエミッション型のものであり、光を取り出すには基板１１を透明にする必要は無い。基板１１の表面には、下地として例えばＳｉＯ２等の透明な下地保護層（図示せず）が形成されている。
【００２３】
有機ＥＬ素子１２は、陰極１３、電子注入層１４、発光層１５、陽極１６がこの順に積層されて構成されている。  
陰極１３は、例えば図示しない配線などにより電源部に接続されており、電源部からの電気信号に応じて電子注入層１４に電子を注入する電極である。この陰極１３は、例えばアルミニウム（Ａｌ）、マグネシウム（Ｍｇ）、金（Ａｕ）等の金属材料から形成されている。
【００２４】
電子注入層１４は、陰極１３から注入された電子を発光層１５に輸送する層であり、例えばポリチオフェン誘導体、ポリピロール誘導体、あるいはそれらのドーピング体等から形成されている。  
陽極１６は、例えば図示しない配線などにより電源部に接続されており、電源部からの電気信号に応じて発光層１５に正孔を注入する層である。有機ＥＬ装置７がトップエミッション型のものであるため、例えばＩＴＯ（Indium Tin Oxide）等の透明な材料から形成されている。
【００２５】
発光層１５は、蛍光あるいは燐光を発光することが可能な公知の発光材料、例えば低分子材料や高分子材料等により形成されている。この発光層１５では、電子注入層１４からの電子と陽極１６からの正孔とが結合して光を発する。この発光層１５は、一つの表示素子６について赤色光、緑色光、青色光の３種類の色光うち、いずれか一色の色光を発するようになっている。
【００２６】
また、移動機構８は、図５に示すように、車輪１７と、シャフト１８と、支持部材１９とを主として構成されている。  
車輪１７は、有機ＥＬ装置７を移動させるものである。この車輪１７は、複数例えば４個設けられており、シャフト１８及び支持部材１９を介して基板１１に取り付けられている。車輪１７の内部には、モータ２０が設けられている（ホイールモータ式）。モータ２０は、電源部に電気的に接続されている。各車輪１７の内部に設けられたモータ２０が独立して回転することにより、各車輪１７が独立して回転するようになっている。
【００２７】
また、図６に示すように、車輪１７は、θ方向に回動可能に取り付けられている。例えば図６の破線の方向に対して−１２０°＜θ＜１２０°程度に回転するようになっている。このように車輪１７が回動することで、図６のＸ方向及びＹ方向のいずれにも移動できるようになっている。
【００２８】
光通信部１０は、図７に示すように、例えば基板１１の各側部に取り付けられ、発光部１０ａと、受光部１０ｂとを有している。発光部１０ａは、例えばレーザ光を射出する半導体レーザ等からなる。なお、図示は省略するが、有機ＥＬ素子１２で発光する光を発光部１０ａに導くようにしてもよい。受光部１０ｂは、例えばレーザ光を受光して電流に変換するフォトダイオード等からなる。
【００２９】
制御部９は、例えば半導体チップ等からなり、図８に示すように、処理を行うためのＣＰＵ２１、ＲＯＭ２２及びＲＡＭ２３、信号の送受信を行う送受信部２４、各種のデータを格納するデータ格納部２５及び各種のプログラムを格納するプログラム格納部２６を有する。  
データ格納部２５には、表示素子６の現在の位置や、当該表示素子６の現在の位置から移動先の位置までの距離等、表示素子６の位置に関する情報としての位置データ２７等が格納される。
【００３０】
プログラム格納部２６は、光通信部１０の発光を制御すると共に有機ＥＬ装置７の発光輝度を制御する発光制御機構２９、車輪１７の回動角度を調節する車輪角度調節機構３０、モータ２０の回転数を調節するモータ回転数調節機構３１、位置情報等の情報を処理する情報処理機構３２、外部との情報の送受信や、光通信部１０による発光及び受光を制御する情報送受信制御機構３３等が格納されている。
【００３１】
次に、図９から図１３をもとにして、上記のように構成された表示装置３５において表示素子６が移動する動作を説明する。ここでは、表示素子６が、図２の状態（表示可能領域Ｄが最小の状態）から図３の状態（表示可能領域Ｄが最大の状態）になるように各表示素子６を移動させる場合を例に挙げて説明する。
【００３２】
表示素子６の移動の概略について説明する。まず、図９に示すように、表示素子６の角部に配置された４つの表示素子６Ａ〜６Ｄが移動する。表示素子６Ａ〜６Ｄが移動し、その後、図１０に示すように、当該表示素子６Ａ〜６Ｄ以外の表示素子６Ｅが移動する。このような２段階の移動により、図７の状態で配列されていた表示素子６は、図１１に示すように、表示可能領域Ｄが最大になるように配列される。以下、表示素子６の移動の詳細を説明する。
【００３３】
まず、ユーザは、例えば電子計算機１の操作部４を操作して、例えば画像の拡大・縮小の倍率を設定する。電子計算機１は、ユーザの設定した倍率に応じて、角部の４つの表示素子６Ａ〜６Ｄに対して、当該表示素子６Ａ〜６Ｄの現在の位置と移動先の位置（表示部３の枠３ａの角部）についてのデータを送信する。このデータについては、例えば表示装置３５に予め座標を設定しておくことで、現在の位置座標及び枠３ａの角部の座標のデータとして送信することができる。
【００３４】
送信されたデータは、表示素子６Ａ〜６Ｄの各制御部９に設けられた送受信部２４で受信され、位置データ２７としてデータ格納部２５に格納される。制御部９の情報処理機構３２は、格納されたデータを読み取り、表示素子６Ａ〜６Ｄの現在の位置と移動先の位置との座標の差に基づいて、移動先の詳細な方向と、現在の位置から移動先の位置までの移動距離とを算出する。算出された移動方向及び移動距離に基づいて、車輪角度調節機構３０が車輪の角度を調節し、モータ回転数調節機構３１がモータの回転数を調節する。この結果、図９に示すように、表示素子６Ａ〜６Ｄは、それぞれ枠３ａの角部へと移動する。
【００３５】
表示素子６Ａ〜６Ｄが枠３ａへ移動すると、情報送信制御機構３３は、送受信部２４を介して、表示素子６Ａ〜６Ｄ以外の表示素子６Ｅに向けて移動するように信号を送出する。また、これに伴って、発光制御機構２９は、表示素子６Ａ〜６Ｄに設けられた各光通信部１０の発光部１０ａにレーザ光を射出すよう信号を送出する。
【００３６】
各表示素子６Ｅが送受信部２４を介してその命令を受けると、各表示素子６Ｅの発光制御機構２９は、当該表示素子６Ｅに設けられた各光通信部１０の発光部１０ａにレーザ光を射出すよう信号を送出する。各表示素子６Ｅは、光通信部１０の発光部１０ａからレーザ光を射出しながら移動する。この移動について、表示素子６Ｄの一つ左隣の表示素子６Ｅを例に挙げて説明する。この表示素子６Ｅは、図１２に示すように、発光部１０ａからレーザ光を射出しながら、例えば図１２の矢印の方向へ移動する。この表示素子６Ｅが、図１３に示すように、互いの発光部１０ａから射出されるレーザ光が互いの受光部１０ｂにより受光される位置に到達したときに、移動を停止する。左右方向への移動についても同様である。このように表示素子６Ｅが移動し、図１１に示すように、表示可能領域Ｄが拡大された状態になる。
【００３７】
このように、本実施形態によれば、有機ＥＬ装置７に移動機構８が取り付けられているので、有機ＥＬ装置７を移動させることができる。これにより、表示素子６自体を移動させることができるため、表示装置３５に表示される画像を変形させることができる。一方、本実施形態に係る表示装置３５では、発光させる表示素子６を変えるという従来のやり方でも画像を変形させることができるため、表示する画像を変形する際には、表示素子６自体を移動させるか、表示させる表示素子６を変えるかという２パターンのうち、好ましい方を状況応じて適宜選択することができる。このように、従来の表示装置を拡張した、表現力豊かに画像を表示する表示装置３５を得ることができる。また、表示素子６を独立して移動させることが可能であることから、表示素子６のうち一部の寿命が尽きた場合であっても、当該寿命の尽きた表示素子６のみを移動して取り替えることも可能となる。これにより、メンテナンス性を向上させることができ、さらに無駄を省くこともできる。
【００３８】
（第２実施形態）  
次に、本発明の表示装置に係る第２実施形態を説明する。第１実施形態と同様、以下の図では、各部材を認識可能な大きさとするため、縮尺を適宜変更している。  
図１４は、本実施形態に係る立体表示装置１０１の全体構成を示す図であり、図１５は、当該立体表示装置１０１の一部を示す拡大図である。
【００３９】
図１４に示すように、立体表示装置１０１は、容器５０と、蓋５１と、液体５２とを主として構成されており、液体５２内には、表示素子１０６（図１５参照）が設けられている。  
容器５０は、例えば透光性を有する材料、例えばガラスや石英、プラスチック等からなる円筒形の容器であり、円筒の底面が開口されている。蓋５１は、容器５０の開口部を封止するように設けられている。液体５２は、例えば水等からなり、容器５０及び蓋５１により形成される密閉空間に封入されている。容器５０、液体５２及び表示素子１０６により表示部１０３を構成している。この表示部１０３には立体画像Ｑが表示されている。図１５に示すように、立体画像Ｑは、赤色を発光する表示素子１０６Ｒと、緑色を発光する表示素子１０６Ｇと、青色を発光する表示素子１０６Ｂとの３種類の表示素子１０６が、例えば立体画像Ｑ（雪だるま）の外形を象るように集合して形成されている。
【００４０】
この表示素子１０６は、図１６に示すように、発光体５３と、移動機構５４と、制御部５５とを有している。また、表示素子１０６には、図示しない電源部と、移動機構５４へ向けて３６６ｎｍの波長を有する光を射出する光源（以下、「光源α」という。）と、移動機構５４へ向けて５４０ｎｍの波長を有する光を射出する光源（以下、「光源β」という。）とが設けられている。
【００４１】
発光体５３としては、第１実施形態と同様に、例えば有機ＥＬ装置を用いることができる。図１５及び図１６では、発光体５３の形状が円形に示されているが、矩形であっても勿論構わない。また、有機ＥＬ装置は、トップエミッション型であってもボトムエミッション型であっても良い。
【００４２】
移動機構５４は、２枚の光屈曲膜から構成されている。この２枚の光屈曲膜は、例えばアゾベンゼン化合物等の高分子からなものであり、互いに異なった波長の光が照射されることで、まっすぐに伸びたり、屈曲したりするようになっている。この光屈曲膜は、例えば３６６ｎｍの波長をもった光が照射されることで、平面状にまっすぐに伸びる特性を有しており、３６６ｎｍ以外の、例えば５４０ｎｍの波長をもった光が照射されることで、その照射された側を谷折り側として屈曲する特性を有している。また、この光屈曲膜は、光の照射がなくなるとその状態を維持する特性を有している。この光屈曲膜に３６６ｎｍの波長をもった光と、５４０ｎｍの波長をもった光とを交互に繰り返して照射することで、光屈曲膜が伸びと屈曲とを繰り返し、液体中を進む推進力が得られるようになっている。
【００４３】
制御部５５は、例えば半導体チップ等からなり、電源部に電気的に接続されるように、また、例えば２枚の光屈曲膜の間に挟持されるように設けられている。この制御部５５は、第１実施形態と同様の構成になっており、上述した光源α及び光源βにおける光の射出を制御できるようにもなっている。
【００４４】
このように、本実施形態によれば、表示素子１０６が空間的に移動可能であるため、例えば立体画像や、当該立体画像の拡大・縮小や立体画像の動き等の３次元像を表現力豊かに表すことができる。また、空間的な移動については、例えば表示素子１０６に液体中を推進する光屈曲膜を取り付けることで、当該表示素子１０６が液体中を空間的に移動することができる。
【００４５】
本発明の技術範囲は上記実施形態に限定されるものではなく、本発明の趣旨を逸脱しない範囲で適宜変更を加えることができる。  
例えば、上記第１実施形態では、表示部３には枠３ａが設けられていたが、枠３ａを設けない構成であっても構わない。このような構成にすることで、表示素子６を任意の位置に移動させることができる。
【００４６】
例えば、表示部３に枠が無いこのような表示装置をテレビ等に用いた場合、有効表示領域Ｄの縦横の比率が３：４のテレビにすることもできるし、この状態から表示素子６を移動させることにより、縦横の比率が９：１６のハイビジョンテレビにすることも可能である。また、スペースに応じて有効表示領域Ｄを自由に拡大することができるという利点もある。
【００４７】
また、枠を設けないことにより表示部３の形状自体を矩形にする必要も無く、自由に設定することができるので、例えば、表示部３を三角形や円形にしたり、凹型や凸型にしたりと、ユーザの好みに合わせてカスタマイズすることができる。また、空いたスペースに合わせてさまざまな形状にすることができる。さらには、凹凸面や曲面上に表示素子６を配置させることも可能となる。このように、表現力豊かに画像を表示することが可能となる。
【図面の簡単な説明】
【００４８】
【図１】本発明の第１実施形態に係る電子計算機の構成を示す斜視図である。
【図２】本実施形態に係る表示装置の構成を示す平面図（その１）である。
【図３】本実施形態に係る表示装置の構成を示す平面図（その２）である。
【図４】本実施形態に係る表示素子の構成を示す斜視図である。
【図５】本実施形態に係る表示素子の構成を示す側面図である。
【図６】本実施形態に係る表示素子の構成を示す底面図である。
【図７】本実施形態に係る表示素子の光通信部の構成を示す斜視図である。
【図８】本実施形態に係る表示素子の制御部の構成を示す図である。
【図９】本実施形態に係る表示装置の動作の様子を示す図（その１）である。
【図１０】本実施形態に係る表示装置の動作の様子を示す図（その２）である。
【図１１】本実施形態に係る表示装置の動作の様子を示す図（その３）である。
【図１２】本実施形態に係る表示装置の動作の様子を示す図（その４）である。
【図１３】本実施形態に係る表示装置の動作の様子を示す図（その５）である。
【図１４】本発明の第２実施形態に係る立体表示装置の構成を示す斜視図である。
【図１５】本実施形態に係る立体表示装置の一部の構成を示す図である。
【図１６】本実施形態に係る表示素子の構成を示す図である。
【符号の説明】
【００４９】
１…電子計算機  ３、１０３…表示部  ６、１０６…表示素子  ８…移動機構  ９…制御部  １０…光通信部  １７…車輪  ２０…モータ  ２４…送受信部  １０１…立体表示装置
【図１】
2006178136.tif 000003
【図２】
2006178136.tif 000004
【図３】
2006178136.tif 000005
【図４】
2006178136.tif 000006
【図５】
2006178136.tif 000007
【図６】
2006178136.tif 000008
【図７】
2006178136.tif 000009
【図８】
2006178136.tif 000010
【図９】
2006178136.tif 000011
【図１０】
2006178136.tif 000012
【図１１】
2006178136.tif 000013
【図１２】
2006178136.tif 000014
【図１３】
2006178136.tif 000015
【図１４】
2006178136.tif 000016
【図１５】
2006178136.tif 000017
【図１６】
2006178136.tif 000018